(57)【要約】【課題】不正解錠の防犯対策を施しても扉の組付性を確保することができ、しかも扉の開き方向にかかわらず電気錠の部品種類を少なく抑えることができる電気式扉施解錠装置を提供する。【解決手段】扉１がハンズフリーシステムやリモートコントロールキーシステムで施解錠が行われる場合、この種の扉１には電動サムターン１９が設けられる。電動サムターン１９の電気駆動モータとしては、ステッピングモータ２１等の制御モータを用いる。この種の制御モータは回転位置制御機能を持つことから、電動サムターン１９にステッピングモータ２１を用いれば、ツマミ２０の回転位置制御が可能である。よって、電動サムターン１９はそのツマミ２０が解錠位置を基準として軸心回りに沿って左右両側に回動する構造をとり、左開き式扉と右開き式扉の両方で共用される。【選択図】図３
2008111311.tif 000002
【特許請求の範囲】
【請求項１】
手動操作で摘み部を施錠位置に回動操作すると扉と扉枠との間に設けた係止部材が引き出されて扉が施錠状態となり、前記摘み部を手動操作で解錠位置に回動操作すると前記係止部材が引き込まれて前記扉が解錠状態となり、前記手動操作以外の操作として電気駆動手段の駆動力で前記係止部材の出し引きを行うことにより前記扉の施解錠が可能な電気式扉施解錠装置において、
パルス信号で駆動される制御モータを前記電気駆動手段として用い、前記摘み部を１つの解錠位置に対して２つの施錠位置若しくは１つの施錠位置に対して２つの解錠位置を取り得るように形成したことを特徴とする電気式扉施解錠装置。
【請求項２】
前記係止部材の移動位置を検出する位置検出手段と、
前記位置検出手段からの検出信号を基に、前記係止部材が前記扉を施錠状態や解錠状態にし得る位置まで移動が完了したか否かを判定する判定手段と
を備えたことを特徴とする請求項１に記載の電気式扉施解錠装置。
【請求項３】
前記制御モータは、ロータ回転時においてスイッチ素子で巻線に流れる電流向きを切り換えるブラシレスモータであることを特徴とする請求項２に記載の電気式扉施解錠装置。
【請求項４】
前記判定手段の判定結果を基に、前記制御モータに対して施錠動作や解錠動作を行い得るパルス数の前記パルス信号が前記制御モータに出力されても、前記係止部材が前記位置まで移動せずに、前記施錠状態や前記解錠状態が完了していない際は、その状況を回避し得る対処動作を行う実行手段と
を備えたことを特徴とする請求項２又は３に記載の電気式扉施解錠装置。
【発明の詳細な説明】
【技術分野】
【０００１】
本発明は、電気式に扉錠の施解錠を行うことが可能な電気式扉施解錠装置に関する。
【背景技術】
【０００２】
近年、住宅等の扉においては、メカニカルキーを扉の鍵穴に挿し込んで回す操作により施解錠を行うシリンダ錠ではなく、施解錠作業の利便性を高めることを目的として、扉施解錠要求を無線発信する電子キーを用いた無線通信で扉施解錠が可能なものが普及してきている。この種の電気式扉施解錠装置では、デッドボルトの押し出しや引き込みに電動サムターンが使用されている。電子キーからキーＩＤコードを含む施解錠要求が発信されると、このキーＩＤコードが住宅側に登録されたコードであれば、電動サムターンが自身のモータによりデッドボルトを押し出したり引き戻したりすることで、デッドボルトを扉枠に係止又は非係止とすることを以て扉の施解錠を切り換える。
【０００３】
ところで、扉施解錠作業の利便性向上もさることながら、第三者による扉の不正解錠を防ぐために、その防犯性についても確保する必要がある。ここで、扉施解錠の防犯について考えた場合、この種の電気式扉開閉装置においては、例えば扉を破壊して電動サムターンの端子を外部に露出させ、そこに通電を直接行うことにより、電動サムターンのモータを回して不正に扉が解錠されてしまうことも考えられる。そこで、例えば特許文献１等では、扉の内部を鉄板等で強固に覆うことにより、簡単に扉が破壊されないような対策をとることで、電動サムターンへの勝手な電源直結を防ぐ対処方法がとられている。また、この電動サムターンを駆動制御する制御コントローラと電動サムターンとを接続する配線部分も、同様の理由から鉄板で強固に覆う必要がある。
【特許文献１】特開２００５−１８８０８３号公報
【発明の開示】
【発明が解決しようとする課題】
【０００４】
しかし、防犯対策として扉内部に鉄板を設ける構造を用いた場合、扉が電動サムターンや制御コントローラの取り付け部位で鉄板の板厚分だけ幅厚になり、しかも鉄板の分だけ扉の総重量も重くなることから、扉を住宅の壁などに組み付ける際の設置作業やその組み付け位置に制限が多くなり、総じて扉の組付性がよくない問題があった。特に、扉が薄型の場合には、防犯対策として鉄板を使おうとしても、この種の薄型扉においては鉄板を含む扉厚を許容できないことから、薄型扉では鉄板を用いた防犯対策を講じることができない現状もある。
【０００５】
また、制御コントローラの取り付け位置は、その配線保護のために電動サムターンの近くを配置位置とする必要がある。即ち、電動サムターンを鉄板で覆ったとき、電動サムターンと制御コントローラとを繋ぐ配線もこの鉄板に隠れるようにするために、制御コントローラを電動サムターンの近くに配置する配置関係がとられることになる。しかし、防犯対策として扉に鉄板を設けると、この鉄板により制御コントローラの配置スペースに影響が出ることもあり、制御コントローラを電動サムターンの近くに配置しようとしても、これができない可能性もあった。
【０００６】
ところで、電動サムターンには、室内側から手動で施解錠操作ができるように手動操作用のツマミが設けられ、このツマミを解錠位置から施錠位置に回すとデッドボルトが押し出されて扉が解錠状態となり、ツマミを施錠位置から解錠位置に回すとデッドボルトが引き込まれて扉が解錠状態となる。電動サムターンが電子キーとの間の無線通信で施解錠が切り換わるとき、電動サムターンのツマミはこの時のモータの回転に伴って連れ回りする動作をとる。また、モータの種類の中には直流モータがあり、この種の直流モータは回転位置制御機能を持っていないことから、直流モータで部品を動かす場合においてはその可動部品の位置制御は行えない特性を持つ。
【０００７】
ここで、電動サムターンのモータとしてはコスト等の面から直流モータを用いることが多いが、このように電動サムターンに直流モータを用いたとすると、直流モータには位置制御ができる特性はないことから、モータの回転に連れ回りするツマミは、施錠位置と解錠位置との２位置間のみ回動可能であって、それ以上は回らない構造をとらざるを得ない。このため、右開き扉と左開き扉とではツマミの回転方向が異なることから、電動サムターンは右扉用と左扉用とで各々用意する必要が生じ、部品点数及び部品コストの増加や、部品管理の手間などの問題も生じていた。
【０００８】
本発明の目的は、不正解錠の防犯対策を施しても扉の組付性を確保することができ、しかも扉の開き方向にかかわらず電気錠の部品種類を少なく抑えることができる電気式扉施解錠装置を提供することにある。
【課題を解決するための手段】
【０００９】
前記問題点を解決するために、本発明では、手動操作で摘み部を施錠位置に回動操作すると扉と扉枠との間に設けた係止部材が引き出されて扉が施錠状態となり、前記摘み部を手動操作で解錠位置に回動操作すると前記係止部材が引き込まれて前記扉が解錠状態となり、前記手動操作以外の操作として電気駆動手段の駆動力で前記係止部材の出し引きを行うことにより前記扉の施解錠が可能な電気式扉施解錠装置において、パルス信号で駆動される制御モータを前記電気駆動手段として用い、前記摘み部を１つの解錠位置に対して２つの施錠位置若しくは１つの施錠位置に対して２つの解錠位置を取り得るように形成したことを要旨とする。
【００１０】
この構成によれば、扉錠を電気錠とする本構成のような場合において、係止部材の出し引きを行う際の電気錠の電気駆動源に、パルス信号で駆動される制御モータを使用している。ところで、この種の制御モータはパルス信号を供給しないと回転しないことから、ただ単に商用電源や電池等で電源直結しただけでは制御モータは回らないことになる。このため、例えば第三者が不正な扉解錠を目的に制御モータに電源直結を行っても、これでは制御モータが回転しないことから、施錠状態の扉が解錠状態にならずに済み、扉不正解錠に対する防犯性が確保される。
【００１１】
ところで、電源直結による扉不正解錠の対策として、電気駆動手段の近傍を鉄板で覆うことも考えられるが、この方法を用いると、扉の板厚が増えたり或いは扉重量が重くなったりして、扉を扉枠に組み付ける際にその作業が行い難い問題が生じる。しかし、本構成のように電気錠の電気駆動手段として制御モータを用いれば、電気駆動手段付近を鉄板で強固に覆うなどの方法を用いなくても、第三者による扉不正解錠に対する防犯性を確保することが可能となる。よって、防犯対策として鉄板を用いていた際に生じていた扉厚増や扉重量増に起因する扉の組付性悪化の問題は生じず、扉不正解錠に対する防犯性を確保しつつ、その時の扉の組付性についても確保することが可能となる。
【００１２】
また、この種の制御モータには、入力したパルス信号のパルス数に応じたステップ量だけ回転する特性があることから、制御モータを電気錠の駆動源として用いた場合、制御モータへの出力パルス数を管理すれば、摘み部の正確な回転位置制御が可能である。このため、本構成においては、係止部材が解錠状態から施錠状態になり得る、或いは施錠状態から解錠状態になり得るだけのパルス数のパルス信号を制御モータに送って扉の施解錠を切り換える動作をとれば、扉施解錠時において摘み部が施錠位置や解錠位置にほぼ正確に停止するように制御することが可能となる。
【００１３】
ところで、今まで一般的に使用されてきた位置制御機能のない直流モータ等を駆動源とした場合、この種の直流モータでは正確な位置制御ができないことから、直流モータで摘み部が回った際に施錠位置や解錠位置から更に奥側へ回動してしまうことを規制する回り止めを摘み部に施す必要がある。また、扉には右開き式や左開き式があるが、これら扉においては、摘み部を回して手動操作で扉施解錠を行う際の摘み部の回動方向が各々異なる。よって、仮に摘み部に回り止めが必要となると、右開き式扉と左開き式扉の各々で専用の電気錠を用意する必要が生じる。
【００１４】
しかし、本構成のように正確な位置制御ができる制御モータを電気錠の駆動源として用いれば、摘み部を所望位置でほぼ正確に停止させることが可能となることから、摘み部に回り止めを有しない電気錠を用いても、扉施解錠時において摘み部を施錠位置や解錠位置でほぼ正確に停止させることが可能となる。よって、扉が右開き式や左開き式に拘わらず、これらの間で電気錠を共用することが可能となり、扉製造に際して用意する電気錠の部品種類が少なく済む。以上により、扉不正解錠の防犯対策を講じても扉の組付性を確保することが可能で、しかも扉の開き方向に拘わらず電気錠の部品種類を少なく抑えることが可能となる。
【００１５】
本発明では、前記係止部材の移動位置を検出する位置検出手段と、前記位置検出手段からの検出信号を基に、前記係止部材が前記扉を施錠状態や解錠状態にし得る位置まで移動が完了したか否かを判定する判定手段とを備えたことを要旨とする。
【００１６】
この構成によれば、電気式扉施解錠装置が電気駆動手段で扉施解錠操作を行う際、扉施錠時においては係止部材が電気駆動手段の駆動力により収納位置から突出位置に飛び出して扉が施錠状態となり、一方で扉解錠時においては係止部材が電気駆動手段の駆動力により突出位置から収納位置に引き込んで扉が解錠状態になるが、このときに係止部材が確実に突出位置や収納位置に到達しているか否かを確認することが可能となる。よって、電気式扉施解錠装置が電気駆動手段で作動する際に、その時の作動信頼性を確保することが可能となる。
【００１７】
本発明では、前記制御モータは、ロータ回転時においてスイッチ素子で巻線に流れる電流向きを切り換えるブラシレスモータであることを要旨とする。
この構成によれば、ブラシレスモータにはモータ回転位置を見るための素子が組み込まれているので、モータ回転位置を検出するに際しては、モータとは別部品のセンサ部品を設けてそれによってモータ回転位置を見るようなことをせずに済む。従って、例えば係止部材が確実に突出位置や収納位置に到達したことを見る場合であっても、モータ以外の他部品を用意する必要がないことから、部品点数が増加を招くことなくモータ回転位置を検出することが可能となる。
【００１８】
本発明では、前記判定手段の判定結果を基に、前記制御モータに対して施錠動作や解錠動作を行い得るパルス数の前記パルス信号が前記制御モータに出力されても、前記係止部材が前記位置まで移動せずに、前記施錠状態や前記解錠状態が完了していない際は、その状況を回避し得る対処動作を行う実行手段とを備えたことを要旨とする。
【００１９】
この構成によれば、制御モータを駆動源に係止部材の出し引きを行った際、係止部材が正常に突出位置や収納位置に位置しないと判定された際には、その状況を回避し得る対処動作が行われる。このため、例えば電気式扉施解錠装置に作動不良が生じたり、或いは係止部材が周囲部品に引っ掛かったりした際には、その状態が解消されることになり、電気式扉施解錠装置の作動時において更なる高い信頼性を確保することが可能となる。
【発明の効果】
【００２０】
本発明によれば、不正解錠の防犯対策を施しても扉の組付性を確保することができ、しかも扉の開き方向にかかわらず電気錠の部品種類を少なく抑えることができる。
【発明を実施するための最良の形態】
【００２１】
以下、本発明を具体化した電気式扉施解錠装置の一実施形態を図１〜図７に従って説明する。
図１に示すように、住宅の玄関等の扉１には、扉施解錠を電気的に行うシステム機種の場合、モータ等の電気駆動源を動力源として作動することにより扉１の施解錠を行う電気式扉施解錠システム２が設けられている。この電気式扉施解錠システム２は、電子キー３からキー固有のキーＩＤコードがＲＦ帯のキーＩＤ信号Ｓidとして発信された際、そのキーＩＤコードと住宅に登録された登録ＩＤコードとを照らし合わせ、電子キー３のキーＩＤコードと住宅の登録ＩＤコードが合致してＩＤ照合が成立すれば、扉１の施解錠動作を許可又は実行するシステムである。
【００２２】
本例の電気式扉施解錠システム２は、電子キー３を持って扉１に近づくと扉１と電子キー３とが自動でＩＤコードの照合を行うハンズフリーシステムとして説明するが、これは電子キー３のボタン操作で施解錠を行うリモートコントロールキーシステムでもよい。扉１の内部には、電気式扉施解錠システムの制御コントロールユニットとして制御コントローラ４が設けられている。制御コントローラ４は、１つのユニット部品として製造されるとともに、扉１の上部寄りの位置に配置されている。なお、制御コントローラ４が、電気式扉施解錠装置、判定手段及び実行手段を構成する。
【００２３】
扉１の屋内側には、ハンズフリーシステムのアンテナ系部品として屋内ユニット５が設けられている。屋内ユニット５の屋内ユニットケース６の内部には、アンテナ部品がユニット化された屋内アンテナユニット７が内蔵されている。屋内アンテナユニット７は、ＬＦ帯の信号を発信可能な屋内ＬＦ発信機８（図３参照）と、ＲＦ帯の信号を受信可能な屋内ＲＦ受信機９（図３参照）とを備え、これらがケーブルを介して制御コントローラ４に接続されている。また、扉１の屋外側には、屋外用のアンテナ系部品として屋外ユニット１０が設けられている。屋外ユニット１０は、屋内ユニット５と同様の構造をとり、屋外ユニットケース１１の内部に屋外アンテナユニット１２を有するとともに屋外アンテナユニット１２が屋外ＬＦ発信機１３及び屋外ＲＦ受信機１４（共に図３参照）から成る。
【００２４】
ハンズフリーシステムは、電子キー３を持って扉１に近づくと扉１の解錠を自動で行うが、施錠についてはそれを自動で行う自動モードと、手動で行う手動モードのどちらかに設定可能となっている。ハンズフリーシステムは、施錠が自動モードの時、扉１から離れると自動的に扉１を施錠し、施錠が手動モードの時、屋内ユニット５の屋外施錠ボタン１５や屋外ユニット１０の屋内施錠ボタン１６が操作されると扉１を施錠する。
【００２５】
扉１には、扉１の開閉を規制する部位としてデッドボルト（かんぬき）１７が設けられている。デッドボルト１７は、扉１の側部でその内側に入り込んで扉１を解錠状態にする収納位置と、扉１の側部から外部に飛び出て扉１を施錠状態にする突出位置との２位置をとり得るように動く。扉１の屋外側には、メカニカルキーを挿し込んでそれを回動操作することにより、デッドボルト１７の引き込み及び引き出し操作を可能とする鍵穴１８が設けられている。なお、デッドボルト１７が係止部材に相当する。
【００２６】
扉１の屋内側には、メカニカルキーを鍵穴１８に挿し込んで回す操作を用いなくともデッドボルト１７の引き出し及び引き込み操作を可能とする電動サムターン１９が設けられている。電動サムターン１９は、自身のツマミ２０による手動回動操作だけでなく、自身に内蔵したステッピングモータ２１（図３参照）によりデッドボルト１７を出し入れ操作することが可能である。電動サムターン１９をツマミ２０で操作する場合、ツマミ２０が縦向きの時を解錠状態とすると、その縦向きになっているツマミ２０をツマミ２０の軸心回り（図１の矢印Ａ方向）に回動操作して横向きとしたとき、デッドボルト１７が扉外方に飛び出て扉１が施錠状態となり、横向きになったツマミ２０を元の縦向きに戻すと、デッドボルト１７が扉内部に引き込まれて扉１が解錠状態となる。なお、電動サムターン１９が電気式扉施解錠装置及び電気錠を構成し、ツマミ２０が摘み部に相当し、ステッピングモータ２１が制御モータ（電気駆動手段）を構成する。
【００２７】
図３に示すように、制御コントローラ４には、この制御コントローラ４を統括制御する制御ユニット２２と、制御ユニット２２からの指令に基づきステッピングモータ２１を駆動する駆動回路２３とが設けられている。制御ユニット２２は、入力側が屋内ユニット５及び屋外ユニット１０に接続され、出力側が駆動回路２３を介して電動サムターン１９のステッピングモータ２１に接続されている。制御ユニット２２は、扉１の施解錠を電気的に行う際、駆動回路２３を介してパルス信号Ｓpaをステッピングモータ２１に供給することにより、ステッピングモータ２１を駆動制御することで扉施解錠動作を行う。
【００２８】
ステッピングモータ２１には、図４に示すようなステータ２４に巻き付けられた複数相（図４は４相）から成る巻線２５，２５…と、ロータ２６に取着された磁石２７とが設けられている。ステッピングモータ２１は、外部からパルス信号Ｓpaが供給されると、決められたステップ単位でそのパルス数に応じた回転量で回転し、例えば巻線がＡａ相→Ｂａ相→Ａｂ相→Ｂｂ相の順に励磁されると正回転し、これとは逆にＢｂ相→Ａｂ相→Ｂａ相→Ａａ相の順に励磁されると逆回転する。なお、ステッピングモータ２１は、各相を１つずつ順に励磁することで回転する１相励磁や、励磁する相を２つずつにすることで高いモータトルクを得る２相励磁や、１相励磁及び２相励磁を掛け合わせた励磁パターンを用いる１−２相励磁の何れを用いてもよい。
【００２９】
制御コントローラ４は、電子キー３との間で無線通信（ハンズフリー又はリモートコントロールキーによる通信）により施解錠要求を受け付けた際、この無線通信においてＩＤ照合が成立すれば、ステッピングモータ２１にパルス信号Ｓpaを供給してステッピングモータ２１を回転させることにより、扉１の施解錠を行う。また、制御コントローラ４は、ハンズフリーシステムの施錠が手動モードの時、各ユニット５，１０の施錠ボタン１５，１６が操作されたことを検出すると、ステッピングモータ２１にパルス信号Ｓpaを供給してステッピングモータ２１を回転させ、解錠状態の扉１を施錠状態にする。
【００３０】
図５〜７に示すように、電動サムターン１９の外枠ケース２８は、樹脂製で屋外側が開口した箱形状を成し、開口側が金属製で平板形状をなす金属体２９により保護されている。外枠ケース２８の内部には、電動サムターン１９の駆動系各種部品が収納された駆動ユニット３０が収納されている。駆動ユニット３０の駆動ユニットケース３１は、対を成した上蓋３１ａ及び下蓋３１ｂとから成り、これら上蓋３１ａ及び下蓋３１ｂとを組み付けることでできる内部空間に駆動系各種部品が収納されている。
【００３１】
ツマミ２０の同一軸心位置には、略円柱形状のサムターン軸３２が一体に突出形成されている。ツマミ２０は、サムターン軸３２が外枠ケース２８、金属体２９及び駆動ユニットケース３１に対して挿通するとともにそれらに回動可能に支持された状態で組み付けられ、この組み付け状態においてはサムターン軸３２が外枠ケース２８の厚さ方向に沿う状態をとっている。ツマミ２０は、金属体２９側から外部に飛び出たサムターン軸３２の先端にある連結ピース３３を介してデッドボルト１７に連結されている。
【００３２】
駆動ユニットケース３１の内部においてサムターン軸３２には、略円板形状の駆動ギア３４が、サムターン軸３２と同軸に、且つ一体回動可能に連結固定されている。駆動ギア３４は、その外周面全域に平歯車３５を有するとともに、中央部に挿通孔３６が貫設されている。駆動ギア３４は、挿通孔３６の内周面に形成された複数の突部３４ａを、サムターン軸３２の外周に形成された複数の凹部３２ａに各々係止することにより、サムターン軸３２に固定されている。
【００３３】
駆動ギア３４の平歯車３５には、複数の平歯車から成る減速歯車列３７を介してステッピングモータ２１が連結されている。ステッピングモータ２１は、回転駆動した際においてその回転力を減速歯車列３７及び駆動ギア３４を介してサムターン軸３２（即ち、デッドボルト１７）に伝達することにより、モータ回転時において出し入れされるデッドボルト１７の移動トルクを確保する。ステッピングモータ２１は、サムターン軸３２の軸心方向に対して横になった向きで配置されている。サムターン軸３２には駆動ギア３４が一体回動可能に固定されているが、この種のステッピングモータ２１は非通電の時はトルクフリーであるので、ツマミ２０を手動操作して扉１の施解錠を行うときでも、手動操作によるツマミ２０の回動とともにステッピングモータ２１も回る動きをとることから、ツマミ２０の回動操作が許容されることになる。
【００３４】
サムターン軸３２には、略円板形状を成す従動体３８がサムターン軸３２と同軸で、且つ自身の突部３８ａをサムターン軸３２の凹部３２ａに係止することにより、サムターン軸３２と連れ回り可能に連結固定されている。この従動体３８には、周囲に磁界を発生する例えば焼結磁石等から成る磁石３８ｂが取り付けられている。駆動ユニットケース３１の上蓋３１ａの内面には、ツマミ２０の回転位置検出系用の基板３９が取り付け固定されている。基板３９には、ツマミ２０の回動方向に沿って並ぶ２つの磁気センサ４０，４１が、磁石２７から発生する磁界を検出可能な状態で取り付けられている。これら磁気センサ４０，４１は、例えば磁気抵抗センサやホール素子等から成り、制御コントローラ４内に設けた信号復調や増幅を行う入力回路４ａ（図３参照）を介して制御ユニット２２に接続されている。磁気センサ４０，４１は、磁石３８ｂから受ける磁界の特性値（磁界方向、磁界強度）を検出し、その値に応じた検出信号を制御ユニット２２に出力する。
【００３５】
制御ユニット２２は、扉施解錠時にステッピングモータ２１を駆動する際、施錠動作や解錠動作の実施に必要なパルス数分のパルス信号Ｓpaをステッピングモータ２１に送って扉１の施解錠を行うが、ステッピングモータ２１に出力するパルス信号Ｓpaのパルス数から現在のツマミ２０の回動位置、いわゆるデッドボルト１７の現在位置を把握することが可能である。但し、電動サムターン１９に故障が発生したり、或いはデッドボルト１７が周囲部品に引っ掛かったりすることは検出できないので、本例の制御ユニット２２は、ステッピングモータ２１にパルス信号Ｓpaを出力して扉施解錠動作を行う時、磁気センサ４０，４１が出力する検出信号を用いて扉１の施解錠動作の完了確認を行う。なお、磁気センサ４０，４１が位置検出手段を構成する。
【００３６】
外枠ケース２８の内部において駆動ユニットケース３１に隣接する位置には、電動サムターン１９の電気系部品の配線接続先としてサムターン側コネクタ４２が設けられている。ステッピングモータ２１が２相ユニポーラ型の場合、この種のサムターン側コネクタ４２には、ステッピングモータ２１の各相に電気配線を介して各々繋がるＡａ相端子４２ａ、Ａｂ相端子４２ｂ、Ｂａ相端子４２ｃ、Ｂｂ相端子４２ｄ、電源端子４２ｅの５端子が設けられる。また、磁気センサ４０，４１のセンサ系端子とモータ系端子とを同一コネクタとする場合、このサムターン側コネクタ４２には、磁気センサ４０に電気配線で繋がる第１センサ端子４２ｆ、磁気センサ４１に電気配線で繋がる４２ｇ、これら両センサ４０，４１の両方に配線接続されたセンサＧＮＤ端子４２ｈの計３端子が設けられる。
【００３７】
制御コントローラ４は、自身から電気配線を通じて延びるコントローラ側コネクタ４３をサムターン側コネクタ４２に接続すると、電動サムターン１９に電気接続された状態となる。このとき、制御ユニット２２は、駆動回路２３から延びる各々の電気配線端子（図示略）がサムターン側コネクタ４２の端子４２ａ〜４２ｆに各々接続されることにより、ステッピングモータ２１と電気接続した状態となり、入力回路４ａから延びる各々の電気配線端子（図示略）がサムターン側コネクタ４２の端子４２ｆ〜４２ｈに各々接続されることにより、磁気センサ４０，４１と電気接続した状態となる。
【００３８】
次に、本例の電気式扉施解錠装置の動作を説明する。
まず、電動サムターン１９を手動操作で施解錠する場合を考えるが、電動サムターン１９が解錠状態にある場合、ツマミ２０は図１や図２に示すように水平方向に対して真っ直ぐに立った向きをとる。解錠状態の扉１を手動操作で施錠するには、屋内側からであれば、電動サムターン１９のツマミ２０を施錠位置から例えば第１回動方向（図５及び図６の矢印Ｒ１方向）に回すことにより、ツマミ２０を水平方向に向かせて施錠位置に位置させ、屋外側からであれば、鍵穴１８にメカニカルキーを挿し込んでこれを例えば第１回動方向Ｒ１に回すことにより、メカニカルキーを水平方向に向かせて施錠位置に位置させる。このように、サムターン軸３２が第１回動方向Ｒ１に回転すると、それに伴ってデッドボルト１７が収納位置から突出位置に飛び出すことから、扉１が解錠状態から施錠状態となる。
【００３９】
ここで、サムターン軸３２が第１回動方向Ｒ１に回転すると、それに伴って駆動ギア３４も第１回動方向Ｒ１に回転することから、サムターン軸３２の回転力がギア列を介してステッピングモータ２１側に伝達されることになるが、この種のステッピングモータ２１は非通電時においてトルクフリーであるので、サムターン軸３２の回転がステッピングモータ２１の影響に依らないことになる。よって、サムターン軸３２に駆動ギア３４が一体連結固定されていても、手動操作時のサムターン軸３２の回転が許容され、ツマミ２０を解錠位置から施錠位置へ回すことが可能である。なお、施錠状態の扉１を手動操作によって解錠状態にする場合は、施錠位置にあるツマミ２０や、鍵穴１８に挿し込んだメカニカルキーを第２回動方向（図５及び図６の矢印Ｒ２方向）に回す回動操作方向が異なるだけで、動きについては施錠操作の場合と同様であるので、扉解錠時の詳細は省略する。
【００４０】
一方、電動サムターン１９を電気式に施解錠する場合を考えるが、扉施錠時において制御コントローラ４が電子キー３から施錠要求を受け付ける無線通信や、ハンズフリーシステムの施錠が手動モードにおいてユニット５，１０の各施錠ボタン１５，１６が操作されると、解錠状態の扉１を電気的に施錠する動作が開始される。この時の動作として、制御コントローラ４がこのような施錠要求操作を検出すると、それに応答する形でステッピングモータ２１の巻線２５，２５…を、例えばＡａ相→Ｂａ相→Ａｂ相→Ｂｂ相の順に繰り返し励磁し、ステッピングモータ２１を例えば正回転させる。
【００４１】
これにより、ステッピングモータ２１の正回転方向の回転力が減速歯車列３７を介して駆動ギア３４に伝達され、駆動ギア３４が第１回動方向Ｒ１に回転を開始する。ステッピングモータ２１が回転する際、その回転力は減速歯車列３７によってトルク力が増大される経緯を経てサムターン軸３２に伝達される。そして、ステッピングモータ２１の正回転方向への回転に伴ってサムターン軸３２が第１回動方向Ｒ１へ回転し、この回転に伴いデッドボルト１７が収納位置から突出位置に飛び出すことになり、ステッピングモータ２１の正方向回転力でサムターン軸３２が回って解錠状態の扉１が施錠状態になる。また、このときのツマミ２０は施錠位置から第１回動方向Ｒ１に回って施錠位置に位置することは明らかである。
【００４２】
また、ハンズフリーシステムやリモートコントロールキーシステムにおいて制御コントローラ４が電子キー３から解錠要求を受け付ける無線通信が行われると、扉１が施錠状態であれば、その施錠状態の扉１を電気的に解錠する動作が開始される。この時の動作として、制御コントローラ４がこのような解錠要求操作を検出すると、それに応答する形でステッピングモータ２１の巻線２５，２５…を、例えばＢｂ相→Ａｂ相→Ｂａ相→Ａａ相の順に繰り返し励磁し、ステッピングモータ２１を例えば逆回転させる。これにより、ステッピングモータ２１の逆回転方向への回転力が減速歯車列３７を介して駆動ギア３４に伝達され、駆動ギア３４が第２回動方向Ｒ２に回転を開始する。よって、ステッピングモータ２１が逆方向回転した際はサムターン軸３２が第２回動方向Ｒ２に回転し、この回転に伴いデッドボルト１７が突出位置から収納位置に引き込まれることになり、施錠状態の扉１が解錠状態になる。
【００４３】
制御コントローラ４は、扉１を施解錠する際、施錠動作時においてはサムターン軸３２のツマミ２０を解錠位置から施錠位置まで、解錠動作時においてはツマミ２０を施錠位置から解錠位置にまで各々回動させ得る分だけのパルス数のパルス信号Ｓpaをステッピングモータ２１に各々供給して扉施解錠動作を行う。このように、ステッピングモータ２１には、加えたパルス数のステップ分だけ回転する特性があることから、本例の制御コントローラ４は、サムターン軸３２の回動位置を見る位置センサで軸回動位置を見ながら駆動源モータへの電流通電オンオフを切り換え操作する処理を用いずに、サムターン軸３２（即ち、ツマミ２０）を施錠位置や解錠位置に回動操作する。
【００４４】
制御コントローラ４は、扉施解錠動作時において、扉１の施錠或いは解錠を成し得るパルス数のパルス信号Ｓpaをステッピングモータ２１に供給したにも拘わらず、磁気センサ４０，４１の検出信号から、規定時間以内にサムターン軸３２が施錠位置或いは解錠位置まで回った事を検出しないと、電動サムターン１９に動作エラーが発生したと判断し、対動作エラーの対処動作を実行する。この時の対処動作例としては、例えばエラーコールの発生、ステッピングモータ２１をその時とは逆回転させることによる元の位置への復帰、デッドボルト１７の出し入れのリトライなどがある。
【００４５】
さて、電動サムターン１９の電気駆動源として仮に一般的な直流モータ等を用いたとすると、この種の直流モータには位置制御機能がないことから、モータ駆動時の位置制御方法としては、ツマミ２０が解錠位置や施錠位置に到達したことをセンサで検出し、これによってモータ駆動を停止する方法をとることになる。よって、回動時におけるツマミ２０の若干量の回動オーバーランを加味する意味で、ツマミ２０には解錠位置や施錠位置からそれ以上回らないように回動位置を規制する回り止めを施す必要がある。このため、この種の電動サムターンを用いた場合、扉１が左開き式と右開き式の各々では施解錠操作時におけるツマミ２０の回転方向が異なることから、開き方向の異なる各々扉において専用の電動サムターンを用意する必要がある。
【００４６】
しかし、本例においては、電動サムターン１９の電気駆動源としてステッピングモータ２１を用いている。この種のステッピングモータ２１は回転位置制御機能を持つので、ツマミ２０の回転駆動源にステッピングモータ２１を用いれば、ツマミ２０の回転位置制御を正確に行うことが可能となることから、ツマミ２０（即ち、サムターン軸３２）の回動位置を確実に施錠位置や解錠位置に位置させることが可能となる。このため、ツマミ２０に回り止めを施す必要がなくなり、解錠位置を基準にツマミ２０をその軸心回りに沿って左右両方向に回動可能な構造とすることが可能となる。よって、ツマミ２０の施錠位置や解錠位置を適宜設定することが可能となり、右開き式扉と左開き式扉との両方で電動サムターン１９を共用することが可能となって、電動サムターン１９の共用化に伴う部品点数削減や部品コスト削減等の効果が得られる。
【００４７】
右開き式扉と左開き式扉とで電動サムターン１９を共用する場合、本例のような屋内側から見て左開きの扉は、ツマミ２０を解錠位置から施錠位置に操作するに際しては、垂直方向に向いたツマミ２０を反時計方向（矢印Ｒ１方向）に回して横向きとすることにより施錠操作を行うことになるが、屋内側から見て右開き扉の際は、垂直方向に向いたツマミ２０を時計方向（矢印Ｒ２方向）に回して横向きにすることにより行うことになる。なお、これはツマミ２０が１つの解錠位置に対して２つの施錠位置を取ることに限定されず、例えば１つの施錠位置を開き方向の異なる扉間で同じとすることにより、１つの施錠位置に対して２つの解錠位置を取る構造でもよい。
【００４８】
また、防犯性の面を考えた場合、電動サムターン１９が施錠状態の際に、仮に第三者が扉１を破壊して電動サムターン１９のサムターン側コネクタ４２を外部に露出させ、このサムターン側コネクタ４２に電源を直結して不正に電動サムターン１９を解錠しようとする事も考えられる。しかし、この種のステッピングモータ２１は、巻線２５，２５…の各相に順にパルス信号を供給しないと回らないので、ただ単にサムターン側コネクタ４２に電源を直結しただけではステッピングモータ２１は回動しないことから、不正な電源直結による解錠操作も生じ難くなる。このため、第三者による扉１の不正解錠も生じ難くなり、セキュリティ性確保の面においても効果が高い。
【００４９】
特に、電動サムターン１９の電気駆動源として一般的な直流モータを用いた場合、モータ端子の直結を防ぐ対策例として、扉１のモータ付近を鉄板で覆うことも考えられる。しかし、この方法を用いると、扉１が厚くなったり或いは扉１が重くなったりすることから、扉１を扉枠に組み付ける際の組付性を考えると、この方法を用いるのは難がある。しかし、本例のように電動サムターン１９の電気駆動源としてステッピングモータ２１を用いれば、モータ種類を変更するだけで不正解錠に対する防犯対策が講じられることになり、扉１への鉄板組み込みによる扉厚増や扉重量増等の問題は生じず、扉１の組付性が悪化することもない。
【００５０】
扉１の施解錠動作時においては、制御コントローラ４がデッドボルト１７を施錠位置或いは解錠位置に位置させるパルス数のパルス信号Ｓpaをステッピングモータ２１に供給したにも拘わらず、磁気センサ４０，４１でサムターン軸３２の回動位置を見た際にサムターン軸３２が施錠位置或いは解錠位置に到達していなければ、これを以て電動サムターン１９に作動エラーが生じたと判断してその対処動作を講じている。従って、電動サムターン１９（ステッピングモータ２１）が故障した際や、デッドボルト１７が周囲部品に引っ掛かった際には、このエラー状態を解消し得る対処動作が行われることから、電動サムターン１９の作動に関してその信頼性も確保することが可能となる。
【００５１】
また、デッドボルト１７を出し入れする際の電気駆動源は、ステッピングモータ２１に限定されず、図８に示すようにブラシレスモータ４４を採用してもよい。ブラシレスモータ４４は、ブラシを用いずに半導体スイッチ等のスイッチ素子でモータ巻線に流れる電流の向きを変えることによりロータを回転するモータであって、モータ自体にモータ回転位置検出センサとしてホール素子４５が予め内蔵されていることから、モータ別部品でモータ回転位置を見るためのセンサは不要である。制御コントローラ４には、ブラシレスモータ４４への電流Ｉの供給とともに、ブラシレスモータ４４のホール素子４５から出力されるロータ位置検出信号Ｓrtを基に電流向きの切り換えを行う電流切換回路４６が設けられている。制御ユニット２２は、電流切換回路４６を介してブラシレスモータ４４の駆動制御を行う。
【００５２】
このように、電動サムターン１９の電気駆動源としてブラシレスモータ４４を使用すれば、この種のブラシレスモータ４４はステッピングモータ２１と同様に、回転位置制御を行うことが可能なモータであるので、扉１の開き方向に関係なく電動サムターン１９の共用化を図ることが可能である。また、この種のブラシレスモータ４４にはモータ回転位置を見るホール素子４５が内蔵されていることから、ロータ回転位置つまりサムターン軸３２の回転位置を見るための専用の磁気センサ４０，４１を設ける必要がなくなり、更なる部品点数削減や部品コスト削減に効果がある。なお、ブラシレスモータ４４が制御モータ（電気駆動手段）を構成し、ホール素子４５が位置検出手段を構成する。
【００５３】
本実施形態の構成によれば、以下に記載の効果を得ることができる。
（１）ステッピングモータ２１等の制御モータは電源直結で回動させることは困難であるので、本例のように電動サムターン１９の駆動モータとしてステッピングモータ２１を用いれば、扉１に鉄板等を組み込むなどの方法を用いずに、電源直結による扉不正解錠に対して防犯性を確保することができる。また、この種のステッピングモータ２１は正確な回転位置制御機能を有しているので、ステッピングモータ２１に出力するパルス信号Ｓpaを管理することにより、サムターン軸３２（ツマミ２０）の正確な回動位置制御を行うことが可能である。よって、サムターン軸３２をステッピングモータ２１で回した際に、それを施錠位置や解錠位置で正確に停止させることが可能となり、電動サムターン１９にツマミ２０の回り止めが不要になる。このため、右開き扉と左開き扉では電動サムターン１９のツマミ２０の操作回動方向は異なるが、ステッピングモータ２１を用いた場合はツマミ２０のどの位置を施錠位置又は解錠位置にするのかを自由に設定することが可能となるので、これら扉の間で電動サムターン１９を共用することができる。以上により、不正解錠の防犯対策を施しても扉１の組付性を確保することができ、しかも開き方向の異なる扉間での電動サムターン１９の共用化により電動サムターン１９の部品種類も少なく抑えることができる。
【００５４】
（２）制御コントローラ４がステッピングモータ２１にパルス信号Ｓpaを出力して扉１の施解錠動作を行う際、サムターン軸３２が正規の回動位置まで到達してツマミ２０が施錠位置や解錠位置に到達しているか否かを、磁気センサ４０，４１の検出信号を用いて監視する。従って、電動サムターン１９が電気的に扉１を施解錠する際に、扉１が作動不良なく施錠状態や解錠状態になったか否かを監視することができ、電動サムターン１９の作動時におけるエラー状態の有無を判断することができる。
【００５５】
（３）電動サムターン１９が電気的に扉１を施解錠する際、ステッピングモータ２１への駆動指令に対して規定時間以内にツマミ２０が施錠位置や解錠位置へ到達しない場合は、制御コントローラ４が作動エラーと判定し、この状況下においてはエラー状態を解消し得る対処動作が行われる。従って、電動サムターン１９をより確実に施錠状態や解錠状態にすることができ、電動サムターン１９の高い信頼性を確保することができる。
【００５６】
（４）制御モータとしてブラシレスモータ４４を用いた場合、ブラシレスモータ４４にはモータ回転位置を見るためのホール素子４５が予め組み込まれているので、モータ回転位置つまりサムターン軸３２の回転位置を検出するに際しては、モータとは別部品のセンサ部品を用意せずに済む。従って、電動サムターン１９に必要となる部品点数を削減でき、電動サムターン１９の構成を簡素化することができる。
【００５７】
（５）電動サムターン１９の電気駆動源として直流モータを用いた場合、この種の直流モータはトルクフリーではないので、直流モータでデッドボルト１７を出し引きする際はその駆動力伝達を許容するものの手動でツマミ２０を回してデッドボルト１７を出し引きする際はこの回動力をモータ側に伝えないようにするクラッチ機構が必要になる。この場合、クラッチ機構は複雑な機構であることから、電動サムターン１９にクラッチ機構が必要になると、電動サムターン１９の構造の複雑化や部品点数増加等の問題に繋がるが、本例のようなステッピングモータ２１等の制御モータを使用すれば、これはトルクフリーであることからクラッチ機構は不要となり、クラッチ機構を採用した際に起こり得る問題は考えずに済む。
【００５８】
なお、本実施形態はこれまでの構成に限定されず、以下の態様に変更してもよい。
・  制御モータは、ステッピングモータ２１やブラシレスモータ４４に限らず、回転位置制御が可能な制御モータであれば、この種類は特に限定されない。
【００５９】
・  電動サムターン１９がモータ駆動する際にサムターン軸３２（ツマミ２０）が施錠位置或いは解錠位置に位置したことを検出する位置検出手段は、これを磁界変化により検出する磁気センサ４０，４１に限らず、例えば光センサ等の他の位置センサを採用してもよい。
【００６０】
・  電動サムターン１９がモータ駆動する際、ステッピングモータ２１に駆動指令が出されたにも拘わらずサムターン軸３２が目的位置まで回動していない際は、このエラー状態を回避し得る対処動作をとるが、この対処動作はエラーコール、モータ逆回転、リトライ等の各種処理に限定されない。例えば、電動サムターン１９への電源供給を停止して電動サムターン１９の作動を強制的に止める処理など、種々の対処動作を採用してもよい。
【００６１】
・  電動サムターン１９は、必ずしも扉１側に設けることに限定されず、例えばこれは扉枠側に取り付けてもよい。
・  電動サムターン１９がモータ駆動する際は、磁気センサ４０，４１でサムターン軸３２が施錠位置や解錠位置に到達したことを検出しているが、この機能は必ずしも設ける必要はない。
【００６２】
・  扉１は、必ずしも開き式のものに限らず、これは引き戸式でもよい。
・  電動サムターン１９は、ツマミ２０に回り止めを無くしてサムターン軸３２をその軸心に沿って自由に回動可能とすることにより、右開き扉と左開き扉の両方で共用化する構造に限定されない。即ち、ツマミ２０に回り止めを設けることにより、電動サムターン１９は右開き扉と左開きで各々専用部品となる構造でもよい。
【００６３】
次に、上記実施形態及び別例から把握できる技術的思想について、それらの効果とともに以下に追記する。
（１）手動操作で摘み部を施錠位置に回動操作すると扉と扉枠との間に設けた係止部材が引き出されて扉が施錠状態となり、前記摘み部を手動操作で解錠位置に回動操作すると前記係止部材が引き込まれて前記扉が解錠状態となり、前記手動操作以外の操作として電気駆動手段の駆動力で前記係止部材の出し引きを行うことにより前記扉の施解錠が可能な電気式扉施解錠装置において、パルス信号で駆動される制御モータを前記電気駆動手段として用いたことを特徴とする電気式扉施解錠装置。ところで、この種の制御モータはパルス信号で駆動されることから、例えばただ単に電気駆動手段に電流を流すだけでは電気駆動手段は駆動しないことから、第三者が不正な扉解錠を目的に電源直結を行っても、これでは扉が施錠状態とならない。このため、電気駆動手段として制御モータを用いれば、電気駆動手段付近を鉄板で強固に覆うなどの方法を用いなくとも、扉不正解錠に対する高い防犯性が確保される。よって、防犯性対策として鉄板を用いていた際に生じていた扉厚増や扉重量増に起因する扉の組付性悪化の問題は生じず、扉不正解錠に対する高い防犯性と、扉の高い組付性との両方を確保することが可能となる。
【００６４】
（２）前記技術的思想（１）において、請求項２〜４のうちいずれか一項の構成要件を備えた。
【図面の簡単な説明】
【００６５】
【図１】一実施形態における扉を屋内側から見た際の斜視図。
【図２】扉を屋外側から見た際の斜視図。
【図３】電気式扉施解錠システムの電気構成を示すブロック図。
【図４】ステッピングモータの概略構造を示す模式図。
【図５】電動サムターンの具体的構成を示す分解斜視図。
【図６】図７のII−II線断面図。
【図７】図６のIII−III線断面図。
【図８】他の電気式扉施解錠システムの電気構成を示すブロック図。
【符号の説明】
【００６６】
１…扉、４…電気式扉施解錠装置、判定手段及び実行手段を構成する制御コントローラ、１７…係止部材としてのデッドボルト、１９…電気式扉施解錠装置及び電気錠を構成する電動サムターン、２０…摘み部としてのツマミ、２１…制御モータ（電気駆動手段）を構成するステッピングモータ、２５…巻線２６…ロータ４０，４１…位置検出手段を構成する磁気センサ、４４…制御モータ（電気駆動手段）を構成するブラシレスモータ、４５…位置検出手段を構成するホール素子、Ｓpa…パルス信号、Ｉ…電流。
【図１】
2008111311.tif 000003
【図２】
2008111311.tif 000004
【図３】
2008111311.tif 000005
【図４】
2008111311.tif 000006
【図５】
2008111311.tif 000007
【図６】
2008111311.tif 000008
【図７】
2008111311.tif 000009
【図８】
2008111311.tif 000010